(57)【特許請求の範囲】
【請求項１】
立体画像を形成することが可能なカメラにおいて、
複数ポイントの距離分布を検出する測距手段と、
異なる複数の位置から被写体を撮影する撮影手段と、
上記測距手段により検出された主要被写体距離の次に近い距離又は上記主要被写体距離の次に遠い距離の一方に基づいて上記複数撮影位置の位置差を制御する制御手段と、
上記測距手段の距離分布結果に基づいて立体画像を形成することが可能であるか否かを判断する判断手段と、
上記判断手段により立体画像を形成することが不可能であると判断された場合に警告を行う警告手段と、
を具備することを特徴とするカメラ。
【請求項２】
上記複数の撮影位置にて撮影した画像に対応する上記画像記録媒体内の記録部に、上記複数の画像が１つの立体画像を形成することを示す情報を記録する記録手段を具備することを特徴とする請求項１に記載のカメラ。
【請求項３】
被写体までの距離を測距する測距手段と、
異なる複数の位置から上記被写体を撮影するための撮影レンズを有する撮影手段と、
上記撮影レンズの画角と上記測距手段による測距結果および上記撮影位置の位置差から、撮影された画像中、立体画像を形成するのに有効な画像有効範囲を演算する演算手段と、
上記演算手段による演算の結果、立体画像を形成するのに不必要な部分を画像記録媒体内の記録部に記録する記録手段と、
を有することを特徴とするカメラ。
【発明の詳細な説明】
【０００１】
【産業上の利用分野】
本発明は、異なるポイントから被写体を撮影し、立体写真を撮影するカメラに関する。
【０００２】
【従来の技術】
従来より、立体写真を撮影する技術については、特開昭５９−１４２５３７号公報等により種々の技術が提案されている。
そして、こうした専用の立体写真撮影可能なカメラに係る技術とは別に、一般のスチルカメラでは自動でピント合せを行うオートフォーカスや磁気記録可能なフィルムの提案等、新しい技術の導入が図られている。
このような流れの中で、一般的な使用者でも簡単に効果的な立体写真撮影を楽しめる立体写真撮影可能なカメラの実現が嘱望されていた。
【０００３】
【発明が解決しようとする課題】
しかしながら、前述した特開昭５９−１４２５３７号公報により開示された技術は、マイクロレンズ板、即ちレンチキュラーや光学系に関する点に主眼をおいており、上記使用者とのヒューマンインターフェースに関する技術については何等記載されていなかった。
【０００４】
本発明は上記問題に鑑みてなされたもので、その目的とするところは、測距情報を有効に利用して、一般的な使用者でも立体感のある写真を簡易・迅速にに撮影可能とすることにある。
【０００５】
【課題を解決するための手段】
上記目的を達成するために、本発明の第１の態様では、立体画像を形成することが可能なカメラにおいて、複数ポイントの距離分布を検出する測距手段と、異なる複数の位置から被写体を撮影する撮影手段と、上記測距手段により検出された主要被写体距離の次に近い距離又は上記主要被写体距離の次に遠い距離の一方に基づいて上記複数撮影位置の位置差を制御する制御手段と、上記測距手段の距離分布結果に基づいて立体画像を形成することが可能であるか否かを判断する判断手段と、上記判断手段により立体画像を形成することが不可能であると判断された場合に警告を行う警告手段と、を具備することを特徴とするカメラが提供される。
【０００６】
第２の態様では、上記第１の態様において、上記複数の撮影位置にて撮影した画像に対応する上記画像記録媒体内の記録部に、上記複数の画像が１つの立体画像を形成することを示す情報を記録する記録手段を具備することを特徴とするカメラが提供される。
【０００７】
第３の態様では、被写体までの距離を測距する測距手段と、異なる複数の位置から上記被写体を撮影するための撮影レンズを有する撮影手段と、上記撮影レンズの画角と上記測距手段による測距結果および上記撮影位置の位置差から、撮影された画像中、立体画像を形成するのに有効な画像有効範囲を演算する演算手段と、上記演算手段による演算の結果、立体画像を形成するのに不必要な部分を画像記録媒体内の記録部に記録する記録手段と、を有することを特徴とするカメラが提供される。
【０００８】
【作用】
即ち、本発明の第１の態様では、立体画像を形成することが可能なカメラにおいて、測距手段により複数ポイントの距離分布が検出され、撮影手段により異なる複数の位置から被写体が撮影され、制御手段により、上記測距手段により検出された主要被写体距離の次に近い距離又は上記主要被写体距離の次に遠い距離の一方に基づいて上記複数撮影位置の位置差が制御され、判断手段により上記測距手段の距離分布結果に基づいて立体画像を形成することが可能であるか否かが判断され、警告手段により上記判断手段により立体画像を形成することが不可能であると判断された場合に警告が行われる。
【０００９】
第２の態様では、上記第１の態様において、記録手段により、上記複数の撮影位置にて撮影した画像に対応する上記画像記録媒体内の記録部に上記複数の画像が１つの立体画像を形成することを示す情報が記録される。
【００１０】
第３の態様では、測距手段により被写体までの距離が測距され、撮影手段により異なる複数の位置から上記被写体が撮影され、演算手段により、上記撮影レンズの画角と上記測距手段による測距結果および上記撮影位置の位置差から、撮影された画像中、立体画像を形成するのに有効な画像有効範囲が演算され、記録手段により上記演算手段による演算の結果、立体画像を形成するのに不必要な部分が画像記録媒体内の記録部に記録される。
【００１１】
【実施例】
以下、図面を参照して、本発明の実施例について説明する。
先ず図１には本発明の第１の実施例に係る立体写真撮影可能なカメラの構成を示し説明する。この図１に示されるように、測距部１は演算制御部１０に電気的に接続されており、該演算制御部１０の出力は撮影位置切換部３を介して写真撮影部２に接続されると共に、記録部４の入力にも接続されている。この演算制御部１０にはモードスイッチ５とレリーズスイッチ７とが配設されている。
【００１２】
このような構成において、測距部１は被写体までの距離を所定のタイミングで測定し、該情報を制御部１０に出力する。そして、上記写真撮影部２は撮影レンズやピント合せ装置、シャッタ等からなり、撮影位置切換部３は該写真撮影部２が異なる位置から同じ被写体を少なくとも２回撮影できるように撮影位置を切り換える。上記演算制御部１０は、カメラ全体のシーケンス制御を司るものでワンチップマイコン等からなる。
【００１３】
そして、上記レリーズスイッチ７を使用者が操作すると測距及び撮影が開始される。上記モードスイッチ５は立体写真撮影時に使用者が操作するスイッチである。さらに、記録部４は写真フィルム上に撮影した写真が立体用かどうか、また立体撮影時には左目用のプリントか右目用のプリントか等を記録するためのものである。
【００１４】
このように立体写真用の複数の写真の組み合せを該記録部４に書き込むことにより、必ずしもフィルム上の隣接位置に撮影を行う必要がなくなるという利点もある。従って、本実施例に係る立体写真撮影可能なカメラは、カメラのレイアウトの自由度を増し、カメラの小型化を実現する。
【００１５】
次に図２には第１実施例に係る立体写真撮影可能なカメラの外観図を示し説明する。この図２において、上記測距部１や撮影用レンズ９等を有するカメラ８は、撮影者がレリーズスイッチ７を操作すると被写体の測距を行い、スライド式雲台６の上をスライドして位置を変えて２回撮影を行う。本発明の第１の実施例の特徴は上記スライド量を上記測距結果により可変としたことにある。
【００１６】
以下、図３を参照して、上記スライド量を測距結果により可変とした理由を説明する。図３（ａ）は被写体２０までの距離が短い時の例、図３（ｂ）は被写体距離が長い時の例を図示したものである。
【００１７】
この図３（ａ）に示すように、被写体２０は立体でΔｌの凸凹を有する。立体写真撮影では該凸凹を立体的に表現しなければならないが、図３（ａ）のような被写体距離では、ＳT1の距離を隔てて撮影を行えば、撮影レンズ９ｂを介して被写体のΔｌの奥行きはフィルム２２ｂ上にΔｘの差として記録できる。
【００１８】
このΔｘが小さいと、フィルム２２ａ，２２ｂを拡大してプリントした時に使用者はこの差を認知できず、立体的に見ることができない。そして、このΔｌとΔｘの関係は撮影レンズの焦点距離ｆT 、撮影レンズ９ａ，９ｂの位置差ＳT1より次式で示される。
【００１９】
0003722498.tif 000002
そして、この（１／ｌ−１／（ｌ＋Δｌ））をΔ１／ｌとして表現すれば、上記（１）式は次式で示される。
【００２０】
Δｘ＝ＳT1・ｆT ・Δ１／ｌ                …（２）
このような関係から、ｌが大きくなると、Δｌが同じであればΔ１／ｌがそれに応じて小さくなってしまう。従って、ＳT1，ｆT が一定だと、上記（２）式よりΔｘも小さくなっていき、ついには目視ではプリント上でもΔｘが認識できなくなってしまう。これでは立体写真が撮影できるとは言い難い。
【００２１】
かかる点に鑑みて、本発明では、図３（ｂ）に示すようにＳT1→ＳT2のように撮影レンズ位置差を可変制御として対策した。つまり、被写体距離ｌが大きい時には、ＳT2も大きくすることとした。
【００２２】
次に図４には、このような撮影レンズ位置差をレンズ位置時分割制御にて達成する第１の実施例に係る立体写真撮影可能なカメラの構成を更に詳細に示し説明する。図４において、符号１は図１の測距部１に対応し、被写体２０に対し、測距用の赤外光を集光投光するための投光レンズ１２、赤外発光ダイオード（ＩＲＥＤ）１１があり、これは投光回路１６を介してＣＰＵ１０により制御される。
【００２３】
このＩＲＥＤ１１の光は被写体２０から反射して、受光レンズ１３を介して光位置検出素子（ＰＳＤ）１４上に入射する。この入射位置は三角測距の原理により被写体距離ｌに依存するので、ＰＳＤ１４はこの光位置に依存した２つの電流信号を出力し、測距回路１５がこの２つの信号電流を演算して距離ｌに依存した信号をＣＰＵ１０に対して出力する。
【００２４】
そして、符号２は図１の写真撮影部２に対応し、撮影レンズ９を被写体２０にピント合せするピント合せ部１７、フィルム上に撮影レンズからの光を露光制御するシャッタ１８等からなる。
【００２５】
さらに、符号３は図１の撮影位置切換部３に相当し、ＣＰＵ１０がモータードライバ３０を介してモーター３１を回転させると、ギア３２，３３によって図２のカメラ９全体がスライド式雲台６の上を矢印の方向に移動する。このギア３３の回転数をフォトカプラ等からなる回転数検出器３５で検知することにより、ＣＰＵ１０はカメラのスライド量、つまりカメラの撮影位置差を制御することができる。この撮影ポイントは磁気記録回路２３と磁気ヘッド２１を介してフィルム２２に記録される。
【００２６】
ここで、図５を参照して、フィルム２２に記録される撮影ポイント情報について説明する。図５において、符号９Ａ，９Ｂは、撮影レンズの２ケ所の撮影位置を示している。そして、これらのレンズとフィルム２２Ａ，２２ＢのサイズＷから撮影可能な画角が決まるが、立体写真に使えるのは撮影位置９Ａの画角θA と、撮影位置９Ｂの画角θB の共通部分である画角θC の部分だけである。
【００２７】
従って、図中、画角θ3 ，θ4 の部分は立体写真には不必要となる。この画角θ3 ，θ4 の部分は、フィルム上に画示すると、図６（ａ）に示すように２つの画像の不要なアンバランス部分θF3，θF4として現れる。
【００２８】
本発明では、こうした無駄な部分を生じないように、測距結果ｌと移動量ＳT より上記θF3，θF4を算出し、該算出量に係る情報をフィルム上に記録し、プリントの際には該記録結果に従って該部分を無視して焼きつけないようにする。
【００２９】
このθF3とθF4は次式で示される。尚、ｆT は撮影レンズの焦点距離である。
θF3＝θF4＝ＳT ・ｆT ／ｌ                …（３）
また、ＳT は一般に次のように設定するのが良いとされている。
【００３０】
ＳT ＝１／５０・ｌ                    …（４）
従って、この時（３）式は、
θF3＝θF4＝ｆT ／５０                    …（５）
となる。但し、上記（４）式でのＳT は、風景写真等では大きな値となってしまうので、リミッタを設けるようにする。
【００３１】
また、カメラ８のスライド方向とフィルムの巻き上げ方向によっては、図６（ａ），（ｂ）に示すようにフィルムと左右の像が逆転する事があるので、これを正しくすべく、フィルム２２の磁気記録部にプリント時に像が正しく並ぶように左右の像を識別する情報を記録する。以上説明した左右判別情報及び上記（３）式の不要部分指定情報を「撮影ポイント情報」と称する。
【００３２】
以下、図７のフローチャートを参照して、第１の実施例に係る立体写真撮影可能なカメラの動作を詳細に説明する。不図示のパワースイッチがオンされ電源が供給されると、ＣＰＵ１０は先ずレリーズスイッチ７の入力状態を検出し（ステップＳ１）、当該レリーズスイッチの入力が検出されると、モードスイッチ５によって、立体写真を撮影するためのモード（以下、３Ｄモードと略す）が設定されているかどうかを判定する（ステップＳ２）。そして、３Ｄモードが選択されていない時は、測距部１を用いて被写体距離を検出し（ステップＳ１４）、ピント合せ部１７を制御し（ステップＳ１５）、シャッタを作動させ露光を行った後（ステップＳ１６）、ステップＳ１３に移行する。
【００３３】
一方、上記ステップＳ２にて、３Ｄモードが設定されている時には、測距を行った後（ステップＳ３）、測距結果ｌの１／５０の距離ＳT を求める（ステップＳ４）。そして、このＳT が２０ｃｍを越える場合は（ステップＳ５）、ＳT を２０ｃｍに固定しリミッタとする（ステップＳ６）。
【００３４】
続いて、撮影レンズのピント調整を行いピントを固定し（ステップＳ７）、露光を行い（ステップＳ８）、フィルムの露光位置を変えるためフィルム巻き上げ動作を行い（ステップＳ９）、撮影位置を変え（ステップＳ１０）、再度露光する。（ステップＳ１１）。この時、同時にフィルム上の磁気記録部に先に説明した撮影ポイント情報を記録部４に書きこむ（ステップＳ１２）。この動作はステップＳ８の露光の後もステップＳ９にて同様に行われる。こうしてステップＳ６で固定していたピント合せ用レンズの位置を初期化し（ステップＳ１３）、全ての動作を終了する（ステップＳ１７）。
【００３５】
以上説明したように、第１の実施例によれば、磁気記録機能付のカメラ８に移動式雲台６を組み合わせ、カメラ制御用のＣＰＵに適当なプログラムを追加するだけで簡単に立体写真が撮影できる立体写真撮影可能なカメラが提供できる。
【００３６】
次に図８には本発明の第２の実施例に係る立体写真撮影可能なカメラの構成を示し説明する。第２の実施例は１つの撮影レンズ９の瞳を分割し、立体写真を得るカメラに関し、前述した第１実施例に比してスライド式雲台が不要である利点がある。ここでは、瞳分割のためのマスク４０ａ，４０ｂの間隔が、第１実施例の撮影位置差ＳTとなるので、これをモーター３１、モータードライバ３０等からなる撮影位置切換部３によって切換制御する。また、分割した光線でフィルム２２の別の場所に露光するためにミラー４１を配置している。
【００３７】
そして、磁気記録部４を有し、プリント時にはミラーによって反転された像を反転してプリントすることにより正しい画像にするための情報や、マスク４０ａ，４０ｂの間隔切換による画像位置のズレを補正するための情報を入力できるようになっている。さらに、警告部４３を具備し、適当な立体効果が得られないと判断される時は、ＬＥＤの点灯やブザーの発音によって、使用者にそれを認知させるように工夫している。
【００３８】
また、レリーズ釦の押下に連動して２つのスイッチ７ａ，７ｂが順次ＯＮするようにして、撮影に先立つタイミング、撮影を行うタイミングをＣＰＵ１０が検知できるようになっており、それらのスイッチを各々１ｓｔレリーズスイッチ、２ｎｄレリーズスイッチと称する。
【００３９】
また、測距部１には所謂「マルチＡＦ」を採用し、画面内の複数のポイントを測距できるようになっている。このマルチＡＦは、図９に示すようにＩＲＥＤ１１を水平方向にスキャン、各ポイントで発光させることによって順次異なるポイントに測距用光４５を投射できるようにしたものである。
【００４０】
さらに、投受光レンズ１２，１３をカメラの上下に配置しＰＳＤ１４の光入射位置の検出方向を上下方向にとることによって、各方向から入射する信号光の入射位置を時分割で検出し、三角測距の原理に従って各ポイントの測距が行われるようにした。
【００４１】
ここで、図９（ａ）は、これらの測距用光学系、撮影レンズ９、ミラー３１、フィルム２２の配置を示したものである。これをカメラボディ８にレイアウトすると図９（ｂ）に示すようになる。このようなマルチＡＦを採用することにより、例えば図１０（ａ）のようなシーンで４６の範囲を測距することにより、被写体がどのような距離分布を持つかを知ることができる。尚、この被写体位置ｘと距離ｌの関係は図１０（ｂ）に示す通りである。
【００４２】
以下、図１２のフローチャートを参照して、第２の実施例に係る立体写真撮影可能なカメラの動作を説明する。
不図示のパワースイッチがオンされ、電源が供給されると、ＣＰＵ１０は先ず１ｓｔレリーズスイッチ７ａの状態を検出し（ステップＳ３０）、該１ｓｔレリーズスイッチ７ａがオンすると、ＩＲＥＤ１１をスキャン、順次ＰＳＤ１４が信号光入射位置を検出し、その結果よりＣＰＵ１０が各ポイントの距離を求めていく（ステップＳ３１）。そして、１ｍ〜３ｍの距離で同じ距離を示すポイントが多い距離を主要被写体距離ｌPとする（ステップＳ３２）。このステップＳ３２により図１０の人物２０を測距した３ポイントの距離がｌPとして検出される。
【００４３】
続いて、このｌP の次に遠い距離、ｌP の次に近い距離と、ｌP との逆数の差をそれぞれ検出し、各々Δ１／ｌ1 ，Δ１／ｌ2 とする（ステップＳ３３，Ｓ３４）。そして、このΔ１／ｌ1 ，Δ１／ｌ2 より値の小さい方を選択し、上記（２）式より得られた、
ＳT ＝Δｘ／（ｆT ・Δ１／ｌ）            …（６）
に従って、マスク４０ａ，４０ｂの開口部間距離ＳT を決定する。この時、Δｘは固定の０．０５ｍｍとし、撮影レンズの焦点距離ｆT も固定としている（ステップＳ３５）。
【００４４】
例えば、ｌP ＝２ｍ、木が５０ｃｍ後方にある時には、
Δ１／ｌ＝１／２−１／２．５＝０．１（１／ｍ）
となる。また、ｆT ＝３５ｍｍとすると、
ＳT ＝０．５／（３５・０．１・１０-3）＝１４．３ｍｍ
となり、マスク４０ａ，４０ｂの開口部間距離ＳT は１４．３ｍｍとなる。
【００４５】
次いで、この計算結果ＳTをカメラが設定可能なＳTの最大値と比較し（ステップＳ３６）、これを越える時は立体写真がとれないとして、警告を発する（ステップＳ３７）。これは、ＳT切換機能のない立体カメラもで、応用可能な考え方であって、所定のＳTと測距結果からその撮影状況が立体撮影に相応しいか相応しくないかを判定し、警告を発するというのも本発明の一部である。
【００４６】
続いて、こうして得られたＳT に開口部が設定されるように両マスクを制御し（ステップＳ３８）、２ｎｄレリーズスイッチの入力を検出すると（ステップＳ３９）、露光を行い（ステップＳ４０）、巻き上げ及び磁気記録を行う（ステップＳ４１）。本実施例では、図８で明らかなように、フィルムの異なる位置に露光を行うので、フィルムを順次送って巻き上げる方式では２重露光が起こったり、フィルムの無駄使いとなってしまう恐れがあった。
【００４７】
そこで、図１１（ａ）乃至（ｃ）に示すように、フィルム２２の未使用部分を詰めて無駄なく撮影ができるように、磁気記録結果を磁気ヘッド２１等で検出し、これに従って巻き上げ及びフィルム停止制御を行う（ステップＳ４３）。こうして全ての動作を終了する（ステップＳ４４）。
【００４８】
以上説明したように、第２の実施例では、１つのレンズの瞳を分割して、フィルムの異なる部分に立体写真用の２つの像を記録するが、フィルム上の異なる部分の２つの像が１つとなって立体写真になることや、ミラーの反転補正用の情報等をフィルム上に磁気記録できるように構成したので、従来の立体カメラのように光学系の工夫によって２つの像をフィルム上に隣接させたり、光路中のミラーによる反転を補正したりする必要がなく、よりコンパクトなカメラとして提供することが可能となる。また、画面内の複数のポイントの測距結果より、被写体の距離分布を検出し、そのシーンが立体写真に相応しいかどうかを判定できるようにしたので、失敗のない立体写真撮影が誰にでも楽しめるカメラが提供できる。
【００４９】
次に図１３には本発明の第３実施例に係る立体写真撮影可能なカメラの構成を示し説明する。第３の実施例は、上記（２）式を次式に変更して、撮影レンズの焦点距離ｆT を制御して、より立体らしく見える立体写真を撮影できるようにするものである。
【００５０】
ｆT ＝Δｘ／（ＳT ・Δ１／ｌ）            …（７）
つまり、第３の実施例はマルチＡＦ部１、警告部４３、フィルム２２への磁気記録部４、シャッタ部１８に加え、２つの撮影レンズ９Ａ，９Ｂの焦点距離を切り換えるズーム制御部４５がＣＰＵ１０に接続されている。そして、このズーム制御部４５により、撮影レンズ９Ａ，９Ｂはその焦点距離を切り換えるようになっている。
【００５１】
以下、図１４のフローチャートを参照して、第３の実施例に係る立体写真撮影可能なカメラの動作を説明する。
不図示のパワースイッチがＯＮされ、電源が供給されると、先ずＣＰＵ１０はモード切換スイッチ５が操作されており、立体写真を撮影する３Ｄモードになっているかを判定する（ステップＳ５０）。ここで、３Ｄモードが選択されていない場合には片方のレンズで通常撮影を行った後（ステップＳ６５）、ステップＳ６３に移行する。
【００５２】
上記ステップＳ５０にて、３Ｄモードが選択されている場合には、続いてレリーズスイッチの半押し状態で閉成する１ｓｔレリーズスイッチのＯＮ／ＯＦＦを判定する（ステップＳ５１）。そして、当該スイッチがＯＮされると、画面内の複数のポイントを測距する多点測距を行い（ステップＳ５２）、図１２と同様１ｍから３ｍの距離の間にあって同じ測距結果を示す測距ポイントの数が最も多い距離を主要被写体距離ｌP とする（ステップＳ５３）。
【００５３】
続いて、測距結果より最遠、最近の距離を選択し、これらの逆数とｌP の逆数の差をΔ１／ｌ1 ，Δ１／ｌ2 として算出する（ステップＳ５４，Ｓ５５）。この時、最遠距離は風景等の無限遠と言われる距離を除いて考えてもよい。
【００５４】
次いで、このようにして得られたΔ１／ｌ1 ，Δ１／ｌ2 の小さい方をΔ１／ｌとして、上記（７）式に従って撮影レンズのズーミング位置ｆT を計算し（ステップＳ５６）、このｆT が撮影レンズが取り得るｆ1 値を越えるかどうかを判定する（ステップＳ５７）。これを「Ｙ」に分岐すると、警告部４３を作動させる（ステップＳ５８）。
【００５５】
次にカメラ撮影レンズの焦点距離をズーミング制御し（ステップＳ５９）、２ｎｄレリーズスイッチの入力が検出されると（ステップＳ６０）、露光を行う（ステップＳ６２）。この後のステップＳ６３，Ｓ６４は、図１２のステップＳ４２，Ｓ４３と同様である。尚、撮影等のレンズ絞りはステップＳ５９において小さくなるように設定しておき、通常撮影に比べ被写界深度を深くとって立体写真に適合させている。
【００５６】
ここで、図１５には第３の実施例の立体写真撮影可能なカメラのレンズやシャッタの構成及び外観を示し説明する。
図１５（ａ）のように２つの撮影レンズ９Ａ，９Ｂの後方にシャッタ１８Ａ，１８Ｂが設けられており、各々電磁アクチュエータ等からなる第１，第２シャッタ制御部を介して開口径（絞り）及び開口時間をＣＰＵ１０が制御する。従って、３ＤモードがＳＷ５によって設定されていない時には、第１又は第２のシャッタ制御部を独立に制御して、通常の撮影が行えるようになっている。
【００５７】
この時、フィルムは３Ｄ撮影時の半分しか使われないので、使用状態を磁気記録しておき、次の撮影では無駄なくフィルム巻き上げした位置に露光するようにする。これが図１４のステップＳ６４の処理であり、通常撮影が行われた後は、３Ｄ撮影後の半分だけ巻き上げて、次の撮影に備えるようにする。
【００５８】
また、図１５（ｃ）にシャッタの開口の時間変化を示している。即ち通常撮影時は図のようにシャッタ絞りは開口していき、所定量の露光が終了した時点でシャッタを閉じるようにＣＰＵ１０が制御する。
【００５９】
一方、３Ｄ撮影時には、２つのシャッタ絞りを所定の開口で止めて被写界深度を稼ぐように制御する。このようなカメラの外観図を図１５（ｂ）に示す。
この図１５（ｂ）に示されるように、カメラボディ５の前面に２つの撮影レンズ９Ａ，９ＢとＡＦ用投受光レンズ１２，１３、ファインダ対物レンズ３２、ストロボ発口部５１が配置されている。尚、符号７はレリーズボタンであり、符号５は３Ｄモード設定スイッチである。
【００６０】
また、測距用光は投光レンズ１２から４５に示したように順次異なる方向に投射されマルチＡＦを行う。この時、図示するように２つの撮影レンズ９Ａ，９Ｂの並び方向とマルチＡＦの測距用光のスキャン方向を揃えて立体写真の効果を判定し易いようにしている。
【００６１】
以上説明したように、第３の実施例においては、２つの撮影レンズに各々設けられたシャッタの作動制御を同時制御か一方のみの制御かに切り換えることにより、簡単に通常撮影と３Ｄ撮影が切り換えることができる。
【００６２】
そして、撮影レンズのズーム位置切換は、従来のコンパクトカメラ等でも採用された技術であるので、２つの撮影レンズ用のスペースがあれば第２実施例より簡単に従来技術にて採用することができる。
【００６３】
さらに、同様の構成にて警告表示を逆の仕様としたカメラも提供できる。つまり、通常は立体カメラではない通常撮影のモードとしており、１ｓｔレリーズスイッチＯＮ時の測距結果、立体写真に相応しい距離分布が得られた時、ＣＰＵ１０がこれを判定し、使用者に３Ｄモードで撮影するように警告部で促すようにする。このような仕様により、一般使用者に手軽に立体写真撮影を楽しんでもらえるカメラが提供できる。
【００６４】
以上、本発明の実施例について説明いたが、本発明はこれに限定されることなく、種々の改良・変更が可能であることは勿論である。
例えば上記実施例において、プリント時の色調や明るさ等立体写真を構成する２つの画像の間に差があってはならないので、磁気記録部４を用いて、現像や焼きつけが同一条件で成されるような情報を対応するフィルム部分に書き込んでおくようにするのも効果的である。
【００６５】
尚、本発明の上記実施態様によれば、以下のごとき構成が得られる。
（１）撮影画面上の複数のポイントを測距する測距手段と、
上記複数の測距結果から、主要被写体距離とその他の被写体距離との差を判定する判定手段と、
異なる複数の位置から被写体を撮影するズームレンズを有する撮影手段と、
からなるカメラにおいて、
上記判定手段の出力に従って上記ズームレンズの焦点距離を制御するズームレンズ制御手段を有するカメラ。
（２）撮影に先立って閉成するレリーズスイッチと、
画面中央部の被写体距離を測距する測距手段と、
異なる複数の位置から被写体を撮影する撮影手段と、
上記測距結果と、上記複数の撮影位置の差に従って、上記レリーズスイッチ操作時に警告を発する警告手段とからなることを特徴とするカメラ。
（３）時分割で順次複数の位置から同一の被写体を撮影するカメラにおいて、
該被写体の距離を測定する測距装置を具備し、
上記測距装置は上記時分割の最初の撮影に先立って上記測距装置を作動させ、２回目以降は作動させないことを特徴とするカメラ。
（４）被写体までの距離を測定する測距手段と、
異なる複数の撮影位置から上記被写体を撮影するための撮影レンズを有する撮影手段と、
上記撮影レンズの画角と上記測距結果及び上記複数の撮影位置の差から露光像の有効範囲を演算する演算手段と、
磁気記録可能なフィルムに対し、磁気記録を行う記録手段と、
を有するカメラにおいて、
上記記録手段により上記演算手段の出力を対応するフィルム位置に記録することを特徴とするカメラ。
（５）画面内の複数のポイントを測距するために、順次測距用光を投射するための投光手段を有する測距装置と、
同一被写体を複数の位置から撮影できるように設けられた複数の撮影レンズと、
を有するカメラにおいて、
上記測距用光を順次移動させる方向と上記複数の撮影レンズの並び方向を揃えたことを特徴とするカメラ。
（６）同一被写体を同時に複数の位置から撮影できるように設けられた複数の撮影レンズと、
上記複数の撮影レンズとフィルムの間にそれぞれ設けられた複数のシャッタと、
スイッチの操作状況に従って上記複数のシャッタの一方のみを制御するモードと、上記複数のシャッタのすべてを同時に制御するモードを切り替え制御する切り替え手段と、
上記シャッタ制御後に上記フィルムを巻き上げる巻き上げ手段と、
を有するカメラにおいて、
上記巻き上げ手段が上記操作手段に従って上記フィルム巻き上げ量を制御することを特徴とするカメラ。
（７）上記シャッタの最大開口の大きさを上記スイッチの操作状況に従って切り替え制御する開口径切り替え手段を有することを特徴とする上記（６）に記載のカメラ。
（８）撮影画面内に複数の測距ポイントを有する測距手段と、
上記測距手段の出力に応じてフィルムへの露光光束をシフト可能なシフト手段と、
上記シフト手段による露光光束に関して、少なくともシフトしない光束とシフトした光束とを上記フィルムの異なる位置にそれぞれ露光する制御手段と、
撮影情報を上記フィルムに記録する記録手段と、
を備えたことを特徴とする立体写真撮影可能なカメラ。
（９）上記（１）に記載のカメラにおいて、
上記シフト手段は、フィルムに対して入射角の異なる被写体光束を与え、結像状態を変化させることを特徴とする。
（１０）撮影画面内に複数の測距ポイントを有する測距手段と、
カメラの撮影位置を所定の第１位置から上記測距手段の出力に応答した第２位置へと変位する位置変更手段と、
撮影情報をフィルムに記録する記録手段と、
を備え、
上記第１位置で撮影した後、同一被写体を上記第２位置で再度撮影することを特徴とする立体写真撮影可能なカメラ。
（１１）撮影画面内に複数の測距ポイントを有する測距手段と、
撮影レンズの一対の分割された射出瞳位置を通過した被写体光束をそれぞれ光路変更する光学手段と、
上記測距手段の出力に応答して上記一対の瞳間隔を制御する瞳制御手段と、
撮影情報をフィルムに記録する記録手段と、
を備えたことを特徴とする立体写真撮影可能なカメラ。
（１２）被写体距離を測定する測距手段と、
上記測距手段の出力に応答して焦点合わせされ、所定の間隔をおいて配された一対の撮影光学系と、
撮影情報をフィルムに記録する記録手段と、
を備えたことを特徴とする立体写真撮影可能なカメラ。
【００６６】
【発明の効果】
本発明によれば、測距情報を有効に利用して、一般的な使用者でも立体感のある写真を簡易・迅速にに撮影可能とする立体写真撮影可能なカメラを提供することができる。
【図面の簡単な説明】
【図１】第１の実施例に係る立体写真撮影可能なカメラの構成を示す図である。
【図２】第１の実施例に係る立体写真撮影可能なカメラの外観図である。
【図３】第１の実施例において、雲台のスライド量を測距結果により可変とした理由を説明するための図である。
【図４】第１の実施例に係る立体写真撮影可能なカメラの構成を更に詳細に示す図である。
【図５】第１の実施例において、フィルム２２に記録される撮影ポイント情報について説明するための図である。
【図６】第１の実施例において、画像の不要なアンバランス部分θF3，θF4を示す図である。
【図７】第１の実施例に係る立体写真撮影可能なカメラの動作を詳細に説明するためのフローチャートである。
【図８】第２の実施例に係る立体写真撮影可能なカメラの構成をし示す図である。
【図９】（ａ）は測距用光学系や撮影レンズ９、ミラー３１、フィルム２２等の詳細な配置を示す図、（ｂ）はこれらをカメラボディ８にレイアウトする様子を示す図である。
【図１０】（ａ）は一例に係る撮影シーンを示す図、（ｂ）は被写体位置ｘと距離ｌとの関係を示す図である。
【図１１】第２の実施例によるフィルム上の記録方式を示す図である。
【図１２】第２の実施例に係る立体写真撮影可能なカメラの動作を説明するための図である。
【図１３】第３実施例に係る立体写真撮影可能なカメラの構成を示す図である。
【図１４】第３の実施例に係る立体写真撮影可能なカメラの動作を説明するためのフローチャートである。
【図１５】第３の実施例の立体写真撮影可能なカメラのレンズやシャッタの構成及び外観を示す図である。
【符号の説明】
１…測距部、２…撮影部、３…撮影位置切換部、４…記録部、５…モードスイッチ、６…雲台、７…レリーズスイッチ、８…カメラ、９…撮影レンズ、１０…制御部。
【図１】
0003722498.tif 000003
【図２】
0003722498.tif 000004
【図３】
0003722498.tif 000005
【図４】
0003722498.tif 000006
【図５】
0003722498.tif 000007
【図６】
0003722498.tif 000008
【図７】
0003722498.tif 000009
【図８】
0003722498.tif 000010
【図９】
0003722498.tif 000011
【図１０】
0003722498.tif 000012
【図１１】
0003722498.tif 000013
【図１２】
0003722498.tif 000014
【図１３】
0003722498.tif 000015
【図１４】
0003722498.tif 000016
【図１５】
0003722498.tif 000017